(57)【要約】【課題】従来の技術による画像描画表示システムでは、入力装置の解像度より大きな表示領域に描画入力を行う必要がある場合に、該表示領域に表示されているデータの見易さが損なわれたり、ユーザが行う作業が煩雑になる、という問題があった。【解決手段】上記目的を達成するため、本発明では、視線入力手段を具備し、前記視線入力手段からの入力にオフセット値算出手段を施すことで得られるオフセット値を、前記描画入力手段からの入力に加えた位置に描画を行うという手段をとった。これにより、本体表示領域に表示されているデータの見易さを損なわず、ユーザが自分の行う操作をすばやく直感的に行うことが可能である。【選択図】  図１
2004240521.tif 000002
【特許請求の範囲】
【請求項１】
本体装置のディスプレイ上に表示領域を設け、描画入力装置を用いて前記表示領域内にデータの入力が行える機能を具備し、さらに前記描画入力装置の入力領域の解像度よりも、前記表示領域の解像度を大きく構成した画像描画表示システムにおいて、
さらに視線入力手段を具備し、前記表示領域内での描画位置を、前記描画入力装置から得られる座標データと、前記視線入力手段を用いて得られるオフセット値と、によって決定することを特徴とする、画像描画表示システム。
【請求項２】
複数のディスプレイ上に表示領域を設け、描画入力装置を用いて前記表示領域にデータの入力が行える機能を具備した画像描画表示システムにおいて、
さらに視線入力手段を具備し、前記複数のディスプレイのいずれのディスプレイに描画するか、および前記表示領域内での描画位置を、前記描画入力装置から得られる座標データと、前記視線入力手段を用いて得られるオフセット値と、によって決定することを特徴とする、画像描画表示システム。
【請求項３】
請求項１または請求項２に記載の画像描画表示システムにおいて、さらに視線入力手段に視線位置指示装置を具備し、前記オフセット値が一定値以上変化した場合、前記オフセット値をユーザに視覚的に提示することを特徴とする画像描画表示システム。
【請求項４】
請求項１に記載の２つの画像描画表示システムと、該２つの画像描画表示システム間で相互にデータの送受信が行える通信手段を備え、前記２つの画像描画表示システムの一方の表示領域に対してデータの描画を行ったときに、他方の表示領域に対しても同様の描画を行うようにしたことを特徴とする多地点画像描画表示システム。
【請求項５】
請求項４に記載の多地点画像描画表示システムであって、前記それぞれの画像描画表示システムの表示領域の解像度が異なることを特徴とする多地点画像描画表示システム。
【請求項６】
描画中はオフセット値を変更しないことを特徴とする、請求項１または請求項２に記載の画像描画表示システム。
【発明の詳細な説明】
【０００１】
【発明の属する技術分野】
本発明は、本体装置の外部に接続された描画入力装置を用い、本体装置のディスプレイ上の表示領域に対してデータの入力が行える機能を具備した画像描画表示システムに関するものである。
【０００２】
【従来の技術】
本体装置のディスプレイ上に共有表示領域を設け、描画入力装置を用いて前記共有表示領域内でデータの共有が行える機能を具備し、さらに前記共有表示領域の解像度よりも、前記描画入力装置の入力領域の解像度を小さく構成した電子会議システムとして特許文献１記載の電子会議システムがある。前記電子会議システムでは、描画入力装置への特定の操作により表示領域への描画可能領域を移動し、前記描画可能領域を表示領域上に輪郭線で示すことで、共有表示領域の解像度よりも描画入力装置の入力領域の解像度を小さく構成している。
【０００３】
【特許文献１】特開平１０−１２６７５８号公報
【０００４】
【発明が解決しようとする課題】
特許文献１記載の電子会議システムでは、電子会議に参加するユーザ一人一人に対して、共有表示領域に輪郭線を描く必要がある。そこで、多数の人が参加するような電子会議では本体共有表示領域に多数の輪郭線が描画されるため、共有表示領域に入力された画像データが見づらくなり、またユーザが自分の輪郭線を判別しにくくなるという課題があった。
【０００５】
また、多数の人が参加するような電子会議では、共有表示領域が大きなものであることが望まれるが、特許文献１に述べられているようなコマンド入力の方式をとった場合、描画入力装置の入力領域の解像度に対して共有表示領域の解像度が著しく大きい場合、描画を行いたい場所に入力領域を移動するためにかかる時間的コストが大きくなることがあった。
【０００６】
本発明はこのような課題を解決するためになされたものであり、大きな表示領域の任意の位置にすばやく直感的にデータを入力することを可能にし、多数の人が参加するような電子会議等においても、本体表示領域に共有されている画像データの見易さを損なわず、ユーザ各々が自分の行う操作をすばやく直感的に行うことができるような画像描画表示システムを提供することを目的としたものである。
【０００７】
【課題を解決するための手段】
上記目的を達成するため、本発明では、ユーザの視点位置および視線方向を得ることが可能な視線入力手段を具備し、ユーザの入力した描画データを前記表示領域に描画する際、前記視線入力手段により得られたユーザの視点位置をオフセットとして用いるという手段をとった。これにより、本体表示領域に表示されているデータの見易さを損なわず、ユーザ各々が自分の行う操作をすばやく直感的に行うことが可能となる。
【０００８】
【発明の実施の形態】
以下、図１から図６を用いて、本発明の実施の形態について詳細に説明する。本実施例では、本願の発明に係わる画像描画表示システムとして、複数の描画入力装置と、視線入力手段として三次元位置センサを使用して、複数のユーザが同時に共通の共有表示領域に描画入力ができる画像描画表示システムを構成した例について説明する。
【０００９】
図１は本実施例の画像描画表示システムの概念図である。図１で１０１は表示用データ処理装置である。表示用データ処理装置１０１の詳細については図３の説明で述べる。図１で１０２は、解像度が横ｄｗ画素、縦ｄｈ画素で長方形をしている表示領域１９９を持つディスプレイである。本実施例では表示領域１９９を共有表示領域として用いる。図１で１０３および１０５および１０７は、解像度が横ｉｗ画素、縦ｉｈ画素の描画データ入力領域を持ち、付属の電子ペンを用いて描画データを入力することができる描画データ入力装置である。描画データとは、例えば、ペンがデータ入力領域に入力を行っているかどうか、入力を行っているペンの前記データ入力領域内での位置を表す座標データ、のことである。描画データ入力装置１０３はユーザ１１０が描画データを入力するのに用い、描画データ入力装置１０５はユーザ１１２が描画データを入力するのに用い、描画データ入力装置１０７はユーザ１１４が描画データを入力するのに用いる。図１で１０９および１１１および１１３は、それぞれ、ユーザ１１０およびユーザ１１２およびユーザ１１４の頭部へ固定し、それぞれユーザ１１０およびユーザ１１２およびユーザ１１４の視点位置と、視線方向を得ることができる三次元位置センサである。本実施例による画像描画表示システムの目的は、ユーザ１１０の例でいえば、ユーザ１１０が三次元位置センサ１０９を頭部に装着し、表示領域１９９上の、描画を行いたい場所を見て、描画入力装置１０３に付属の電子ペンを用いて描画入力装置１０３に入力を行うと、実際に表示領域１９９上のユーザ１１０が描画を行いたかった位置に、描画入力装置１０３になされたとおりの描画ができるようにすることである。
【００１０】
図２は本実施例の画像描画表示システムの機器構成図である。図２で２０１は、ユーザ１１０用のデータ入力セットである。データ入力セット２０１は、描画入力装置１０３と三次元位置センサ１０９からなる。同様に、２０２および２０３は、それぞれユーザ１１２およびユーザ１１４用のデータ入力セットである。表示用データ処理装置１０１と描画入力装置１０３および描画入力装置１０５および描画入力装置１０７、表示用データ処理装置１０１と三次元位置センサ１０９および三次元位置センサ１１１および三次元位置センサ１１３との間では各種データの通信が行える。この通信はデータの欠損が生じないものならば何でもよい。例えば、赤外線を用いた無線通信でもよいし、ＵＳＢを用いたものでもよいし、ＲＳ２３２Ｃを用いたものでもよい。描画入力処理装置１０３は、描画入力処理装置１０３に描画データが入力される度に、入力された描画データを表示用データ処理装置１０１に送信する。表示用データ処理装置１０１は受け取った描画データを後述の主記憶装置３０５の描画データ群３２０中に記憶する。描画入力処理装置１０５と表示用データ処理装置１０１との通信の場合、描画データは主記憶装置３０５の描画データ群３２１に記憶され、描画入力処理装置１０７と表示用データ処理装置１０１との通信の場合は、描画データは主記憶装置３０５の描画データ群３２２に記憶される。三次元位置センサ１０９は、一定の時間間隔で、ユーザ１１０の視点位置とユーザ１１０の視線方向からなる、位置方向データ３０８０を、表示用データ処理装置１０１に送る。表示用データ処理装置１０１は、受け取った位置方向データ３０８０を後述の主記憶装置３０５の位置方向データ群３０８中に記憶する。三次元位置センサ１１１と表示用データ処理装置１０１の通信の場合、位置方向データ３０８０は位置方向データ群３１８に記憶され、三次元位置センサ１１３と表示用データ処理装置１０１との通信の場合、位置方向データ３０８０は位置方向データ群３２８に記憶される。
【００１１】
図３は表示用データ処理装置１０１の構成を示す図である。表示用データ処理装置１０１は、中央演算処理装置３０１および、画像出力手段３０２および、外部記憶装置３０３および、通信手段３０４および、主記憶装置３０５を備える。中央演算処理装置３０１は、主記憶装置３０５および外部記憶装置３０３に蓄えられたデータの値を参照すること、および主記憶装置３０５および外部記憶装置３０３にデータの値を書き込むこと、および主記憶装置３０５および外部記憶装置３０３に蓄えられたプログラムを解釈し、実行すること、および画像出力手段３０２を通じて、ディスプレイ１０２に描画する画像を出力すること、および通信手段３０４を用いて、描画入力装置１０３および描画入力装置１０５および描画入力装置１０７、および三次元位置センサ１０９および三次元位置センサ１１１および三次元位置センサ１１３と通信を行うことができる。主記憶装置３０５は、描画入出力処理プログラム３１０と描画入出力処理プログラム３１２と描画入出力処理プログラム３１４、および描画データ群３２０と描画データ群３２１と描画データ群３２２、および位置方向データ群３０８と位置方向データ群３１８と位置方向データ群３２８、およびオフセット値データ３０９とオフセット値データ３１９とオフセット値データ３２９を保持する。描画入出力処理プログラム３１０および描画入出力処理プログラム３１２および描画入出力処理プログラム３１４は、それぞれユーザ１１０およびユーザ１１２およびユーザ１１４の描画入出力処理を行うために用いる。描画入出力処理については図４において詳細に説明する。描画入出力処理プログラム３１０および描画入出力処理プログラム３１２および描画入出力処理プログラム３１４は、本実施例における画像描画表示システムの起動時に、並列に実行を開始する。描画データ群３２０は、描画入力装置１０３から送信され、描画入出力処理プログラム３１０によって処理されていない全ての描画データからなる。描画データ群３２１は、描画入力装置１０５から送信され、描画入出力処理プログラム３１２によって処理されていない全ての描画データからなる。描画データ群３２２は、描画入力装置１０７から送信され、描画入出力処理プログラム３１４によって処理されていない全ての描画データからなる。位置方向データ群３０８は、ディスプレイ１０２の位置と、三次元位置センサ１０９から送信されたユーザ１１０の位置方向データを時間順に並べたものからなる。位置方向データ群３１８および一方向データ群３２８も同様に、ディスプレイの位置と、それぞれ三次元位置センサ１１１および三次元位置センサ１１３から送信されたユーザ１１２およびユーザ１１４の位置方向データを時間順に並べたものである。オフセット値データ３０９は後述のオフセット算出プログラム３１１で得られる二つの数の組であり、共有表示領域１９９上でのユーザ１１０の視線位置の座標を表す。オフセット値データ３１９およびオフセット値データ３２９も同様に、それぞれユーザ１１２およびユーザ１１４の共有表示領域１９９上の視線位置を表す。なお、視線位置については図６で説明する。
【００１２】
図６は視線入力処理において、ユーザ１１０およびユーザ１１２およびユーザ１１４が見ている表示領域１９９上の座標値を求める方法を説明するための図である。図６を用いて、ユーザ１１０およびユーザ１１２およびユーザ１１４が見ている表示領域１９９上の座標位置の求め方を説明する。ディスプレイ１０２の表示領域１９９の左上の点６０２は本説明中における座標系の原点である。表示領域１９９の右上の点６０３の座標が（ｄｘ１、ｄｙ１、ｄｚ１）で、表示領域１９９の左下の点６０４の座標が（ｄｘ２、ｄｙ２、ｄｚ２）で、ユーザ１１０の視点位置の座標が（ｓｘ、ｓｙ、ｓｚ）で、さらに、ユーザ１１０の視線方向がベクトル（ｐｘ、ｐｙ、ｐｚ）であるとき、ユーザ１１０が見ている表示領域１９９上の位置は、ユーザ１１０の視点位置（ｓｘ、ｓｙ、ｓｚ）からベクトル（ｐｘ、ｐｙ、ｐｚ）方向に引いた半直線と、ディスプレイ１０２との交点６０１として求めることができる。交点６０１の座標（ｉｘ、ｉｙ、ｉｚ）は数１であらわされる。
【００１３】
【数１】
2004240521.tif 000003
【００１４】
さらに、これをディスプレイ１０２の表示領域１９９の座標系、すなわち点６０２が原点で、点６０３の座標が（ｄｗ、０、０）で、点６０４の座標が（０、ｄｈ、０）である直交座標系に座標変換を施すことで、ユーザ１１０が見ている表示領域１９９上の座標位置を求めることができる。よって、ユーザ１１０が見ている表示領域１９９上の座標位置は数２であらわされる。
【００１５】
【数２】
2004240521.tif 000004
【００１６】
表示領域１９９上の、ユーザ１１２および１１４が見ている座標位置もまったく同様にして求めることができる。以下では、ユーザ１１０およびユーザ１１２およびユーザ１１４が見ている表示領域１９９上の座標値を求めることを視線入力処理と呼び、ユーザ１１０およびユーザ１１２およびユーザ１１４が見ている表示領域１９９上の座標位置をそれぞれユーザ１１０およびユーザ１１２およびユーザ１１４の視線位置と呼ぶ。
【００１７】
図４は、描画入力装置からの入力を表示領域１９９に表示する際の、描画入出力処理プログラム３１０のフローチャートである。図４を用いて、描画入力装置１０３および三次元位置センサ１０９およびユーザ１１０の場合で、描画入出力処理について説明する。描画入出力処理が開始すると、まず、終了判定処理４１０を行う。終了判定処理４１０は、表示用データ処理装置にキーボードを具備しておき、前記キーボードからある特定のキーが入力されたときのみＹＥＳを返し、その他の場合ＮＯを返す。終了判定処理４１０がＹＥＳを返した場合、描画入出力処理は直ちに終了する。終了判定処理４１０がＮＯを返した場合、処理４００にて視線入力処理を行い、処理４０１に進む。処理４０１は、ユーザ１１０の視線位置が表示領域１９９上の座標（ｅｘ、ｅｙ）であったとき、表示用データ処理装置１０１に保持されるユーザ１１０のオフセット値データ３０９を数の組（ｅｘ−ｉｗ／２、ｅｙ−ｉｈ／２）に設定する。処理４０１が終了したら、視線入力条件判定処理４０２を行う。視線入力条件判定処理４０２については図５において詳細に説明する。視線入力条件判定処理４０２がＹＥＳを返した場合、終了判定処理４１０に進む。視線入力条件判定処理４０２がＮＯを返した場合は、表示用描画データ加工処理４０３に進む。表示用描画データ加工処理４０３では描画データ群３２０中の、ユーザ１１０の描画データ各々に、ユーザ１１０のオフセット値データ３０９を加算する。例えば、表示用データ処理装置１０１が保持しているユーザ１１０のオフセット値データ３０９が（ｏｘ，ｏｙ）で、描画データが「（ｉｘ、ｉｙ）に点を表示する」というものである場合には、前記描画データを「（ｉｘ＋ｏｘ、ｉｙ＋ｏｙ）に点を表示する」というものに更新する。次に、描画処理４０４で、描画データ群３２０中の、ユーザ１１０の描画データ各々に対応する描画処理を、画像出力手段３０２を通じて実行する。描画処理４０４が終了したら終了判定処理４１０へ進む。描画入力装置１０５およびユーザ１１２の場合、および、描画入力装置１０７およびユーザ１１４の場合も、同様に、描画入力装置からの入力を表示領域１９９に表示することが可能である。終了判定処理４１０は、上記のものでなくても、プログラム３１０が処理できるものを、状況に応じて適宜決めればよい。例えば描画データ入力装置１０３および描画データ入力装置１０５および描画データ入力装置１０７から一定の時間入力がなかったときのみＹＥＳを返し、その他の場合ＮＯを返すようにしてもよいし、並列に動作している他の描画用入出力処理プログラム３１２および描画用入出力プログラム３１４が終了したかどうかを調べて、終了していれば、ＹＥＳを返すという処理としてもよい。さらに、前記の条件のいずれか一つ以上を満たしたときにＹＥＳを返し、その他の場合ＮＯを返すようにしてもよい。
【００１８】
図５は視線入力条件判定処理４０２のフローチャートである。なお、以下では、描画入力装置１０３およびユーザ１１０の場合で説明するが、描画入力装置１０５およびユーザ１１２の場合、および描画入力装置１０７およびユーザ１１４の場合もまったく同様である。まず、電子ペン入力判定処理５０１で、ユーザ１１０が描画入力装置１０３に付属の電子ペンで描画入力装置１０３に入力を行っている途中かどうかを判定する。電子ペン入力判定処理５０１は、ユーザ１１０が描画入力装置付属の電子ペンで描画入力装置１０３に入力を行っている途中であればＹＥＳを返し、それ以外の場合ＮＯを返す。電子ペン入力判定処理５０１がＹＥＳを返したら、視線入力条件判定処理４０２はＮＯを返して終了する。電子ペン入力判定処理５０１がＮＯを返したら、視線位置変化判定処理５０２に進む。視線位置変化判定処理５０２は、表示用データ処理装置１０１に保持されている位置方向データ３０８を用いて、ユーザ１１０の視線位置と、直前の視線入力処理後のユーザ１１０の視線位置との距離を求め、求めた距離が予め定めておいた閾値を超えているかどうかを判定し、前記距離が前記閾値を超えていた場合ＹＥＳを返し、その他の場合ＮＯを返す。視線位置変化判定処理５０２がＹＥＳを返した場合、視線入力条件判定処理４０２はＹＥＳを返して終了し、視線位置変化判定処理５０２がＮＯを返した場合、視線入力条件判定処理４０２はＮＯを返して終了する。
【００１９】
以上、前記第一の実施例によれば、視線入力手段を具備し、視線入力手段からの入力からオフセット値を算出するようにしたことで、各ユーザのための輪郭線を表示領域１９９上に表示することなく、表示領域１９９の任意の場所に、すべてのユーザが描画を行うことが可能となる。さらに、各ユーザは、表示領域１９９上の自分が描画を行いたい場所を見るだけで、その場所への描画が始められることになるため、表示領域１９９全体へすばやく直感的に描画を行うことが可能である。
【００２０】
なお、前記第一の実施例では、ユーザが３人の場合を例にとって説明したが、本発明のシステムでは、ユーザは何人でもよく、ユーザの数だけ描画入力装置および視線入力手段および描画入出力プログラムおよび描画データ群および位置方向データ群およびオフセット値データを用意して対応すればよい。また、前記第一の実施例ではディスプレイが１つの場合を扱ったが、表示用データ処理装置１０１に複数のディスプレイを繋ぎ、表示領域を複数にすることも可能である。この場合、図６で説明した計算を用意したディスプレイの数だけ実行するようにすればよい。表示用データ処理装置１０１に複数のディスプレイを繋ぐことで、複数の共有表示領域に描画入力を行うことが可能になるので、複数の目的で表示領域を使い分けることが可能になる。さらにひとつの目的で複数の表示領域を使えば、より解像度の高い表示領域を得ることが可能になる。
【００２１】
また、前記第一の実施例の視線入力手段に、視線位置指示装置として、レーザポインタを具備することにより、視線入力位置６０１が一定値以上変化した場合、視線入力位置６０１をユーザに提示することも可能である。具体的には視線位置変化判定処理５０２がＹＥＳを返した場合に、処理５０４に進む前に該レーザポインタの電源を入れるようにすればよい。レーザポインタの電源は、一定時間が経過すると切れるようにしておけば、レーザポインタのために画面が見づらくなることはない。
【００２２】
次に図７から図１０を用いて、本発明の第二の実施例について詳細に説明する。
【００２３】
本実施例は、前記第一の実施例の画像描画表示システムを相互通信手段で複数繋ぎ、ひとつの表示領域に対して描画入力を行うと、すべての画像描画表示システムの表示領域に描画が行われるようにした多地点画像描画表示システムの例である。
【００２４】
図７は本実施例における多地点画像描画表示システム７０４のシステム構成図である。図７で７０１および７０２および７０３は、第一の実施例の画像描画表示システムに、相互にデータの送受信が行えるように、機能の追加および変更を施した画像描画表示システムである。第一の実施例では、画像描画表示システムに接続するユーザの数が３人の場合で説明したが、本実施例では画像描画表示システム７０１に接続するユーザの数が２人の場合で説明する。前記追加および変更を施した構成要素については図８から図１０を用いて説明する。画像描画表示システム７０１および画像描画表示システム７０２および画像描画表示システム７０３は、それぞれの表示用データ処理装置に具備した相互通信手段９１０を介して、互いに通信を行うことが可能である。
図８は画像描画表示システム７０１の機器構成図である。図８において、図２と同じ記号は図２と同じものを表し、図３と同じ記号は図３と同じものを表す。８０１は表示用データ処理装置である。表示用データ処理装置８０１は、第一の実施例の表示用データ処理装置１０１の主記憶装置３０５中の描画入出力処理プログラム３１０および描画入出力処理プログラム３１２を、描画入出力処理プログラム９０１および描画入出力処理プログラム９０３で置き換え、主記憶装置３０５中に受信描画処理プログラム９０２と受信データバッファ９３０を追加し、さらに相互通信手段９１０を追加したものである。相互通信手段９１０は画像描画表示システム７０１および画像描画表示システム７０２および画像描画表示システム７０３の間で、相互にデータの送受信を行えるものである。該相互通信手段９１０によって受信されたデータは、主記憶装置３０５中の受信データバッファ９３０に保存される。描画入出力処理プログラム９０１および描画入出力処理プログラム９０３および描画入出力処理プログラム９０５、および受信描画処理プログラム９０２は、画像描画表示システム７０１の起動時に並列に実行を開始する。描画入出力処理プログラム９０１および描画入出力処理プログラム９０３および描画入出力処理プログラム９０５については図９で詳細に説明する。また、受信描画処理プログラム９０２については図１０で詳細に説明する。
【００２５】
図９は描画入出力処理プログラム９０１のフローチャートである。図９において、図４と同じ記号は図４と同じものを表す。表示用描画データ加工処理４０３が終了すると、データ送信処理１００１に進む。データ送信処理１００１は表示用データ加工処理４０３で得られたデータと、共有表示領域１９９の解像度からなるデータ１００２を、相互通信手段９１０を通じて、画像描画表示システム７０２および画像描画表示システム７０３に送信する。データ送信処理１００１が終了すると、描画処理４０４へ進む。描画入出力処理プログラム９０３および描画入出力処理プログラム９０５についても同様である。
【００２６】
図１０は受信描画処理プログラム９０２のフローチャートである。受信描画処理が開始すると、まず終了判定処理１１０１に進む。終了判定処理１１０１は、描画入出力処理プログラム９０１が終了しているかどうかを調べ、描画入出力処理９０１が終了していればＹＥＳを返し、それ以外のときＮＯを返す。終了判定処理１１０１がＹＥＳを返すと、受信描画処理は終了する。終了判定処理１１０１がＮＯを返したら、受信判定処理１１０２へ進む。受信判定処理１１０２は、他の画像描画システムから受信し、受信データバッファ９３０に保存されているデータ１００２がある場合にＹＥＳを返し、その他の場合ＮＯを返す。受信判定処理１１０２がＮＯを返した場合、終了判定処理１１０１へ進む。受信判定処理１１０２がＹＥＳを返した場合、受信データ加工描画処理１１０３へ進む。受信データ加工描画処理１１０３は、データ１００２の解像度の情報から、データ１００２中の描画データを表示領域１９９の解像度に適合するように変換した後、画像出力手段３０２を通じて実行し、前記解像度の情報および描画データを、受信データバッファ９３０から消去する。受信データ加工描画処理１１０３が終了したら、描画処理４０４へ進む。
【００２７】
以上、図８から図１０を用いて画像描画表示システム７０１について詳細に説明したが、これらの説明は画像描画表示システム７０２および画像描画表示システム７０３についても同様である。
【００２８】
上記実施例によれば、第一の実施例の画像描画表示システムを相互通信手段で複数繋ぐことで、多地点画像描画表示システムを構成することが可能である。
【００２９】
【発明の効果】
以上のように、本願記載の発明によれば、視線入力手段を具備し、視線入力手段から得られたユーザの視線位置を、描画入力の際のオフセットとして用いることで、本体表示領域に共有されている画像データの見易さを損なわず、ユーザ各々が自分の行う操作をすばやく直感的に行うことができるようになる。
【図面の簡単な説明】
【図１】本発明の第一の実施例における画像描画表示システムの概念図である。
【図２】本発明の第一の実施例における画像描画表示システムの機器構成図である。
【図３】本発明の第一の実施例における表示用データ処理装置１０１の構成を示す図である。
【図４】本発明の第一の実施例における描画入出力処理のフローチャートである。
【図５】本発明の第一の実施例における視線入力条件の判定のフローチャートである。
【図６】本発明の第一の実施例における視線入力の説明のための図である。
【図７】本発明の第二の実施例における多地点画像描画表示システム７０４のシステム構成図である。
【図８】本発明の第二の実施例における画像描画表示システム７０１の機器構成図である。
【図９】本発明の第二の実施例における描画入出力処理プログラム９０１のフローチャートである。
【図１０】本発明の第二の実施例における受信描画処理プログラム９０２のフローチャートである。
【符号の説明】
１０１  表示用データ処理装置
１０２  ディスプレイ
１０３、１０５、１０７  描画入力装置
１０９、１１１、１１３  三次元位置計測装置
１１０、１１２、１１４  ユーザ
１９９  表示領域
２０１、２０２、２０３  データ入力セット
３０１  中央演算処理装置
３０２  画像出力手段
３０３  外部記憶装置
３０４  通信手段
３０５  主記憶装置
３０８、３１８、３２８  位置方向データ群
３０９、３１９、３２９  オフセット値データ
３１０、３１２、３１４  描画入出力処理プログラム
３２０、３２１、３２２  描画データ群
６０１  視線入力位置
６０２  ディスプレイ１０２の表示領域１９９の左上角の点。
６０３  ディスプレイ１０２の表示領域１９９の右上角の点。
６０４  ディスプレイ１０２の表示領域１９９の左下角の点。
７０１、７０２、７０３  画像描画表示システム
７０４  多地点画像描画表示システム
８０１  表示用データ処理装置
９０１、９０３  描画入出力処理プログラム
９０２  受信描画処理プログラム
９１０  相互通信手段
９３０  受信データバッファ
【図１】
2004240521.tif 000005
【図２】
2004240521.tif 000006
【図３】
2004240521.tif 000007
【図４】
2004240521.tif 000008
【図５】
2004240521.tif 000009
【図６】
2004240521.tif 000010
【図７】
2004240521.tif 000011
【図８】
2004240521.tif 000012
【図９】
2004240521.tif 000013
【図１０】
2004240521.tif 000014